(57)【要約】【課題】蛍光灯やＬＥＤに含まれるリップル光によるバーコードの読み取り不良を回避できる読取装置及び読取方法を提供する。【解決手段】正弦波信号を発生させる発振器と、発振器が発生した正弦波信号の逓倍率を変更する逓倍率変更回路と、逓倍率変更回路の逓倍率を選択して変更する逓倍率変更部と、逓倍率が変更された正弦波信号と直流バイアス電圧とを積算した信号によってレーザー駆動信号を生成するレーザー駆動部と、レーザー駆動信号によってレーザー光を発生させるレーザー発光部と、バーコードに反射したレーザー光を電気信号に変換し、受信信号として出力するフォトダイオードと、逓倍率変更回路から入力した逓倍率が変更された正弦波信号をロウパスフィルタによって受信信号から取り除いて復調させる同期検波回路と、復調された受信信号に基づいてバーコードに記載されたコードを読み取るデコード回路と、を備える読取装置。【選択図】図２
2015046100.tif 000002
【特許請求の範囲】
【請求項１】
正弦波信号を発生させる発振器と、
前記発振器が発生した正弦波信号の逓倍率を変更する逓倍率変更回路と、
前記逓倍率変更回路の逓倍率を選択して変更する逓倍率変更部と、
逓倍率が変更された前記正弦波信号と直流バイアス電圧とを積算した信号によってレーザー駆動信号を生成するレーザー駆動部と、
前記レーザー駆動信号によってレーザー光を発生させるレーザー発光部と、
バーコードに反射した前記レーザー光を電気信号に変換し、受信信号として出力するフォトダイオードと、
前記逓倍率変更回路から入力した逓倍率が変更された前記正弦波信号をロウパスフィルタによって受信信号から取り除いて復調させる同期検波回路と、
復調された前記受信信号に基づいて前記バーコードに記載されたコードを読み取るデコード回路と、
を備える読取装置。
【請求項２】
前記逓倍率変更部は、
手動スイッチである請求項１記載の読取装置。
【請求項３】
前記逓倍率変更部は、
前記バーコードの読み込みが失敗したと判定した場合、前記逓倍率変更回路の逓倍率を順次変更する制御部である請求項１記載の読取装置。
【請求項４】
発振器によって正弦波信号を発生させ、
逓倍率変更回路によって前記発振器が発生した正弦波信号の逓倍率を変更し、
逓倍率変更部によって前記逓倍率変更回路の逓倍率を選択して変更し、
レーザー駆動部によって逓倍率が変更された前記正弦波信号と直流バイアス電圧とを積算した信号によってレーザー駆動信号を生成し、
レーザー発光部によって前記レーザー駆動信号を用いてレーザー光を発生させ、
フォトダイオードによってバーコードに反射した前記レーザー光を電気信号に変換し、受信信号として出力させ、
同期検波回路によって前記逓倍率変更回路から入力した逓倍率が変更された前記正弦波信号をロウパスフィルタによって受信信号から取り除いて復調させ、
デコード回路によって復調された前記受信信号に基づいて前記バーコードに記載されたコードを読み取る読取方法。
【請求項５】
前記逓倍率変更部は、
手動スイッチである請求項４記載の読取方法。
【請求項６】
前記逓倍率変更部は、
前記バーコードの読み込みが失敗したと判定した場合、前記逓倍率変更回路の逓倍率を順次変更する制御部である請求項４記載の読取方法。
【発明の詳細な説明】
【技術分野】
【０００１】
本発明の実施形態は、読取装置及び読取方法に関する。
【背景技術】
【０００２】
ＰＯＳ（Ｐｏｉｎｔ  ｏｆ  ｓａｌｅｓ）システムにはレーザー光線を商品のバーコードに照射してバーコードを読み取るスキャナ、すなわち読取装置が用いられることが多い。
【０００３】
ＰＯＳシステムは通常店舗などに設置される。そして、店舗の照明には蛍光灯やＬＥＤが用いられる。これらの照明には１０ｋＨｚ〜１００ｋＨｚのＡＣリップル光を含むものがある。
【０００４】
このリップル光が読取装置に入り込み、レーザー光線の周波数と一致してしまうとバーコードの読み取り不良が発生する。
【０００５】
この点に関し、従来の読み取り装置は、発振装置にて発信した正弦波を用いてレーザー光を変調し、読取部において復調してバーコードを読み取っていた。
【０００６】
しかし、この技術によっても読み取り不良が発生することがある。
【先行技術文献】
【特許文献】
【０００７】
【特許文献１】特開２０１２-７４０２５号公報
【発明の概要】
【発明が解決しようとする課題】
【０００８】
従って、蛍光灯やＬＥＤに含まれるリップル光によるバーコードの読み取り不良を回避できる読取装置及び読取方法が求められている。
【課題を解決するための手段】
【０００９】
上記の課題を解決するために、本発明の一実施形態は、正弦波信号を発生させる発振器と、発振器が発生した正弦波信号の逓倍率を変更する逓倍率変更回路と、逓倍率変更回路の逓倍率を選択して変更する逓倍率変更部と、逓倍率が変更された正弦波信号と直流バイアス電圧とを積算した信号によってレーザー駆動信号を生成するレーザー駆動部と、レーザー駆動信号によってレーザー光を発生させるレーザー発光部と、バーコードに反射したレーザー光を電気信号に変換し、受信信号として出力するフォトダイオードと、逓倍率変更回路から入力した逓倍率が変更された正弦波信号をロウパスフィルタによって受信信号から取り除いて復調させる同期検波回路と、復調された受信信号に基づいてバーコードに記載されたコードを読み取るデコード回路と、を備える読取装置を提供する。
【図面の簡単な説明】
【００１０】
【図１】読取装置の外観斜視図である。
【図２】第１の実施形態に係る読取装置の構成を示すブロック図である。
【図３】第２の実施形態に係る読取装置の構成を示すブロック図である。
【発明を実施するための形態】
【００１１】
以下、読取装置及び読取方法の一実施形態について、図面を用いて詳細に説明する。
【００１２】
本実施形態の読取装置は、正弦波信号を発生させる発振器と、発振器が発生した正弦波信号の逓倍率を変更する逓倍率変更回路と、逓倍率変更回路の逓倍率を選択して変更する逓倍率変更部と、逓倍率が変更された正弦波信号と直流バイアス電圧とを積算した信号によってレーザー駆動信号を生成するレーザー駆動部と、レーザー駆動信号によってレーザー光を発生させるレーザー発光部と、バーコードに反射したレーザー光を電気信号に変換し、受信信号として出力するフォトダイオードと、逓倍率変更回路から入力した逓倍率が変更された正弦波信号をロウパスフィルタによって受信信号から取り除いて復調させる同期検波回路と、復調された受信信号に基づいてバーコードに記載されたコードを読み取るデコード回路と、を備える。
【００１３】
図１は、本実施形態に係る読取装置１２の外観斜視図である。図１に示すように、読取装置１２は、ＰＯＳ（Ｐｏｉｎｔ  ｏｆ  ｓａｌｅｓ）端末１の側面部に設けられる。ＰＯＳ端末１は、さらにタッチパネルなどの入出力部１１を備える。
【００１４】
読取装置１２は、図１に示すようにＰＯＳ端末１と一体に形成されていても、別体に設けられていてもよい。読取装置１２がＰＯＳ端末１と別体にもうけられる場合は、読取装置１２は通信部を備え、ＰＯＳ端末１の通信部を介してＰＯＳ端末１に接続する。
【００１５】
（第１の実施形態）
図２は、第１の実施形態に係る読取装置１２の構成を示すブロック図である。図２に示すように、読取装置１２は、正弦波信号を発生させる発振器１０１と、発振器１０１が発生した正弦波信号の逓倍率を変更する逓倍率変更回路１０２と、逓倍率変更回路１０２の逓倍率を選択して変更する手動スイッチ１０３と、を備える。
【００１６】
読取装置１２はさらに、逓倍率が変更された正弦波信号と直流バイアス電圧とを積算した信号によってレーザー駆動信号を生成するレーザー駆動部１０５と、レーザー駆動信号によってレーザー光を発生させるレーザー発光部１０６と、を備える。
【００１７】
読取装置１２はさらに、レーザー発光部１０６が発生させたレーザー光Ｌ１を透過させ、バーコード１０８からの反射光Ｌ２を反射させるハーフミラー１０７と、レーザー光の向きを変えるポリゴンミラー１０９と、バーコードに反射した反射光Ｌ２を電気信号に変換し、受信信号として出力するフォトダイオード１１０と、を備える。
【００１８】
読取装置１２はさらに、逓倍率変更回路１０２から入力した逓倍率が変更された正弦波信号をロウパスフィルタによって受信信号から取り除いて復調させる同期検波回路１１１と、復調された受信信号に基づいてバーコードに記載されたコードを読み取るデコード回路１１２と、を備える。
【００１９】
逓倍率変更回路１０２は、発振器１０１が発振した正弦波信号の逓倍率を２倍、４倍・・・のように変更する。
【００２０】
手動スイッチ１０３は、逓倍率変更回路１０２の逓倍率を、手動にて選択し、変更するスイッチである。
【００２１】
逓倍率が変更された正弦波信号はレーザー駆動部１０５と、同期検波回路１１１と、に出力される。
【００２２】
レーザー駆動部１０５は、レーザー発光部１０６を駆動させる矩形波信号に逓倍率が変更された正弦波信号を積算し、和信号を生成する。
【００２３】
レーザー発光部１０６は、この和信号にてレーザー光を発光する。
【００２４】
フォトダイオード１１０によってバーコードからの反射光は電気信号に変換される。
【００２５】
同期検波回路１１１は、逓倍率変更回路１０２から入力した逓倍率が変更された信号を用いて同期検波を行い、得られた信号をデコード回路１１２に出力する。
【００２６】
オペレータは読取装置１２を使用中にバーコードの読み取り不良が発生していると感じた場合、手動スイッチ１０３によって逓倍率変更回路１０２によって正弦波の逓倍率を変更する。
【００２７】
従って、リップル光の影響を回避できるという効果がある。
【００２８】
以上述べたように、本実施形態の読取装置１２は、正弦波信号を発生させる発振器１０１と、発振器１０１が発生した正弦波信号の逓倍率を変更する逓倍率変更回路１０２と、逓倍率変更回路１０２の逓倍率を選択して変更する手動スイッチ１０３と、逓倍率が変更された正弦波信号と直流バイアス電圧とを積算した信号によってレーザー駆動信号を生成するレーザー駆動部１０５と、レーザー駆動信号によってレーザー光Ｌ１を発生させるレーザー発光部１０６と、バーコード１０８に反射した反射光Ｌ２を電気信号に変換し、受信信号として出力するフォトダイオード１１０と、逓倍率変更回路１０２から入力した逓倍率が変更された正弦波信号をロウパスフィルタによって受信信号から取り除いて復調させる同期検波回路１１１と、復調された受信信号に基づいてバーコード１０８に記載されたコードを読み取るデコード回路１１２と、を備える。
【００２９】
従って、蛍光灯やＬＥＤに含まれるリップル光によるバーコードの読み取り不良を回避できるという効果がある。
【００３０】
（第２の実施形態）
図３は、第２の実施形態に係る読取装置１２の構成を示すブロック図である。図３に示すように、読取装置１２は、正弦波信号を発生させる発振器１０１と、発振器１０１が発生した正弦波信号の逓倍率を変更する逓倍率変更回路１０２と、逓倍率変更回路１０２の逓倍率を選択して変更する制御部１０４と、を備える。
【００３１】
読取装置１２はさらに、逓倍率が変更された正弦波信号と直流バイアス電圧とを積算した信号によってレーザー駆動信号を生成するレーザー駆動部１０５と、レーザー駆動信号によってレーザー光を発生させるレーザー発光部１０６と、を備える。
【００３２】
読取装置１２はさらに、レーザー発光部１０６が発生させたレーザー光Ｌ１を透過させ、バーコード１０８からの反射光Ｌ２を反射させるハーフミラー１０７と、レーザー光の向きを変えるポリゴンミラー１０９と、バーコード１０８に反射した反射光Ｌ２を電気信号に変換し、受信信号として出力するフォトダイオード１１０と、を備える。
【００３３】
読取装置１２はさらに、逓倍率変更回路１０２から入力した逓倍率が変更された正弦波信号をロウパスフィルタによって受信信号から取り除いて復調させる同期検波回路１１１と、復調された受信信号に基づいてバーコード１０８に記載されたコードを読み取るデコード回路１１２と、を備える。デコード回路１１２は、デコードしたバーコード１０８のコードを制御部１０４にも出力する。
【００３４】
逓倍率変更回路１０２は、発振器１０１が発振した正弦波信号の逓倍率を２倍、４倍・・・のように変更する。
【００３５】
制御部１０４は、ＣＰＵ（Ｃｅｎｔｒａｌ  ｐｒｏｃｅｓｓｉｎｇ  ｕｎｉｔ）などの演算装置を含み、逓倍率変更回路１０２の逓倍率を自動選択し、変更する。具体的には、ユーザはまず既知のコードが記載された基準バーコード１０８を読取装置１２に読み取らせる。基準バーコード１０８は通常のバーコードより印刷の薄いものを用いることができる。
【００３６】
制御部１０４は、コードが読めたか、又は予め記憶しているコードと読取ったコードが同一であるかを判定する。制御部１０４は、コードが読めない場合、又は予め記憶しているコードと読取ったコードが同一でないと判定した場合、逓倍率変更回路１０２の正弦波信号の逓倍率を変更し、再度バーコード１０８の読み込みを試みる。
【００３７】
制御部１０４は、予め記憶しているコードと読取ったコードが同一であると判定できるまで、逓倍率の変更とバーコード１０８の再読み込みを試みる。
【００３８】
制御部１０４は、あらかじめ設定された範囲の逓倍率をすべて試みても予め記憶しているコードと読取ったコードが同一であると判定できなかった場合、エラーである旨の信号を入出力部１１に表示する。
【００３９】
逓倍率変更回路１０２は、逓倍率を変更した正弦波信号をレーザー駆動部１０５と、同期検波回路１１１と、に出力する。
【００４０】
レーザー駆動部１０５は、レーザー発光部１０６を駆動させる矩形波信号に逓倍率が変更された正弦波信号を積算し、和信号を生成する。
【００４１】
レーザー発光部１０６は、この和信号にてレーザー光を発光する。
【００４２】
フォトダイオード１１０によってバーコードからの反射光は電気信号に変換される。
【００４３】
同期検波回路１１１は、逓倍率変更回路１０２から入力した逓倍率が変更された信号を用いて同期検波を行い、得られた信号をデコード回路１１２に出力する。
【００４４】
従って、リップル光の影響を回避できるという効果がある。
【００４５】
以上述べたように、本実施形態の読取装置１２は、正弦波信号を発生させる発振器１０１と、発振器１０１が発生した正弦波信号の逓倍率を変更する逓倍率変更回路１０２と、逓倍率が変更された正弦波信号と直流バイアス電圧とを積算した信号によってレーザー駆動信号を生成するレーザー駆動部１０５と、レーザー駆動信号によってレーザー光Ｌ１を発生させるレーザー発光部１０６と、バーコード１０８に反射した反射光Ｌ２を電気信号に変換し、受信信号として出力するフォトダイオード１１０と、逓倍率変更回路１０２から入力した逓倍率が変更された正弦波信号をロウパスフィルタによって受信信号から取り除いて復調させる同期検波回路１１１と、復調された受信信号に基づいてバーコードに記載されたコードを読み取るデコード回路１１２と、バーコードの読み込みが失敗したと判定した場合、逓倍率変更回路１０２の逓倍率を順次変更する制御部１０４と、を備える。
【００４６】
従って、蛍光灯やＬＥＤに含まれるリップル光によるバーコードの読み取り不良を自動的に回避できるという効果がある。
【００４７】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４８】
１０１：発振器
１０２：逓倍率変更回路
１０３：手動スイッチ
１０４：制御部
１１１：同期検波回路
【図１】
2015046100.tif 000003
【図２】
2015046100.tif 000004
【図３】
2015046100.tif 000005